(57)【特許請求の範囲】
【請求項１】
所定数の送信レーンのそれぞれに対して、前記所定数の送信レーンにそれぞれ対応づけられた所定数の送信レーン識別子を含む第１のレーン情報を含む第１のフレームを供給する送信部と、
前記所定数の送信レーンのうちの、通信相手が受信可能な信号を送信する１または複数の送信レーンに対応する１または複数の送信レーン識別子を含む第２のレーン情報を受信する受信部と
を備え、
前記送信部が前記所定数の送信レーンに供給した所定数の前記第１のフレームのそれぞれは、前記第１のレーン情報と、その第１のフレームが供給される送信レーンに対応する送信レーン識別子とを含み、
前記第２のレーン情報は、前記所定数の送信レーン識別子と、前記通信相手における所定数の受信レーンにそれぞれ対応づけられた所定数の受信レーン識別子との対応関係を示す情報である
通信装置。
【請求項２】
前記第２のレーン情報に基づいて、各送信レーンをオン状態またはオフ状態に設定するための制御信号を生成する送信制御部をさらに備えた
請求項１に記載の通信装置。
【請求項３】
送信データをそれぞれ生成し、データ識別子がそれぞれ対応づけられた複数の処理部をさらに備え、
前記送信部は、前記複数の処理部のうちの一の処理部が生成した送信データと、前記一の処理部に対応するデータ識別子とを含む第２のフレームを生成し、その第２のフレームを、オン状態に設定された１または複数の送信レーンのうちの一の送信レーンに供給する
請求項１または請求項２に記載の通信装置。
【請求項４】
前記所定数の送信レーンと、
前記所定数の送信レーンに対応する所定数の通信レーンを含む複数の通信レーンを介して、通信相手と接続可能に構成されたコネクタと
をさらに備えた
請求項１から請求項３のいずれか一項に記載の通信装置。
【請求項５】
所定数の受信レーンのうちの１または複数の受信レーンのそれぞれから、通信相手における所定数の送信レーンにそれぞれ対応づけられた所定数の送信レーン識別子を含む第１のレーン情報を含む第１のフレームを受け取る受信部と、
前記受信部が前記１または複数の受信レーンから受け取った１または複数の前記第１のフレームに基づいて、前記所定数の送信レーン識別子と、前記所定数の受信レーンにそれぞれ対応づけられた所定数の受信レーン識別子との対応関係を示す第２のレーン情報を生成する受信制御部と
を備え、
前記１または複数の第１のフレームのそれぞれは、前記第１のレーン情報と、その第１のフレームを送信した送信レーンに対応する送信レーン識別子とを含み、
前記受信制御部は、前記１または複数の第１のフレームに含まれる前記第１のレーン情報および前記送信レーン識別子に基づいて前記第２のレーン情報を生成する
通信装置。
【請求項６】
前記受信制御部は、さらに、前記第２のレーン情報に基づいて、各受信レーンをオン状態またはオフ状態に設定するための制御信号を生成する
請求項５に記載の通信装置。
【請求項７】
前記第２のレーン情報を前記通信相手に送信する送信部をさらに備えた
請求項５または請求項６に記載の通信装置。
【請求項８】
データ識別子がそれぞれ対応づけられた複数の処理部をさらに備え、
前記受信部は、オン状態に設定された１または複数の受信レーンのうちの一の受信レーンから、送信データと、複数の前記データ識別子のうちの一のデータ識別子とを含む第２のフレームを受け取り、前記送信データを、前記複数の処理部のうちの前記一のデータ識別子に対応する処理部に供給する
請求項６に記載の通信装置。
【請求項９】
前記所定数の受信レーンと、
前記所定数の受信レーンに対応する所定数の通信レーンを含む複数の通信レーンを介して、前記通信相手と接続可能に構成されたコネクタと
をさらに備えた
請求項５から請求項８のいずれか一項に記載の通信装置。
【請求項１０】
第１の通信装置と、
第２の通信装置と
を備え、
前記第１の通信装置は、
複数の通信レーンのうちの第１の所定数の通信レーンに対応する所定数の送信レーンのそれぞれに対して、前記所定数の送信レーンにそれぞれ対応づけられた所定数の送信レーン識別子を含む第１のレーン情報を含む第１のフレームを供給する第１の送信部と、
前記所定数の送信レーンのうちの、前記第２の通信装置が受信可能な信号を送信する１または複数の送信レーンに対応する１または複数の送信レーン識別子を含む第２のレーン情報を受信する第１の受信部と
を有し、
前記第１の送信部が前記所定数の送信レーンに供給した所定数の前記第１のフレームのそれぞれは、前記第１のレーン情報と、その第１のフレームが供給される送信レーンに対応する送信レーン識別子とを含み、
前記第２の通信装置は、
前記複数の通信レーンのうちの第２の所定数の通信レーンに対応する所定数の受信レーンのうちの１または複数の受信レーンのそれぞれから、前記第１のフレームを受け取る第２の受信部と、
前記第２の受信部が前記１または複数の受信レーンから受け取った１または複数の前記第１のフレームに含まれる前記第１のレーン情報および前記送信レーン識別子に基づいて、前記第２のレーン情報を生成する受信制御部と、
前記受信制御部が生成した前記第２のレーン情報を前記第１の通信装置に送信する第２の送信部と
を有し、
前記第２のレーン情報は、前記所定数の送信レーン識別子と、前記所定数の受信レーンにそれぞれ対応づけられた所定数の受信レーン識別子との対応関係を示す情報である
通信システム。
【請求項１１】
第１の通信装置において、複数の通信レーンのうちの第１の所定数の通信レーンに対応する所定数の送信レーンのそれぞれに対して、前記所定数の送信レーンにそれぞれ対応づけられた所定数の送信レーン識別子を含む第１のレーン情報を含む第１のフレームを供給し、
前記所定数の送信レーンに供給した所定数の前記第１のフレームのそれぞれは、前記第１のレーン情報と、その第１のフレームが供給される送信レーンに対応する送信レーン識別子とを含み、
第２の通信装置において、前記複数の通信レーンのうちの第２の所定数の通信レーンに対応する所定数の受信レーンのうちの１または複数の受信レーンのそれぞれから、前記第１のフレームを受け取り、
前記第２の通信装置において、前記１または複数の受信レーンから受け取った１または複数の前記第１のフレームに含まれる前記第１のレーン情報および前記送信レーン識別子に基づいて、所定数の送信レーン識別子と、前記所定数の受信レーンにそれぞれ対応づけられた所定数の受信レーン識別子との対応関係を示す第２のレーン情報を生成し、
前記第２のレーン情報を前記第１の通信装置に送信する
通信方法。
【請求項１２】
前記第２のレーン情報に基づいて、各送信レーンをオン状態またはオフ状態に設定するとともに、各受信レーンをオン状態またはオフ状態に設定する
請求項１１に記載の通信方法。
【請求項１３】
オン状態に設定された１または複数の送信レーンのうちの一の送信レーンに対して、送信データおよびデータ識別子を含む第２のフレームを供給し、
オン状態に設定された１または複数の受信レーンのうちの一の受信レーンから、前記第２のフレームを受け取り、
前記一の受信レーンが受信した前記第２のフレームに含まれる前記送信データを、前記第２のフレームに含まれる前記データ識別子に対応する処理部に供給する
請求項１２に記載の通信方法。
【発明の詳細な説明】
【技術分野】
【０００１】
本開示は、データのやり取りを行う通信装置、そのような通信装置を備えた通信システム、およびそのような通信システムで用いられる通信方法に関する。
【背景技術】
【０００２】
近年の電子機器の高機能化および多機能化に伴い、電子機器は、他の電子機器と、より多くの情報をやりとりするようになってきている。例えば、電子機器は、しばしば他の電子機器と有線通信により接続される。有線通信では、より多くのデータのやりとりを行う場合には、しばしば光ファイバが用いられる。
【０００３】
ところで、有線通信を行う通信システムにおいては、ユーザがケーブルを取り扱う必要があるため、利便性が高いことが望まれている。例えば、特許文献１には、２本の光ファイバケーブルを連結するためのリバーシブルコネクタが開示されている。
【先行技術文献】
【特許文献】
【０００４】
【特許文献１】特開２００１−３５００５９号公報
【発明の概要】
【発明が解決しようとする課題】
【０００５】
このように、通信システムでは、利便性が高いことが望まれており、そのような通信システムに用いられる通信装置についても、さらなる利便性の向上が期待されている。
【０００６】
本開示はかかる問題点に鑑みてなされたもので、その目的は、ユーザの利便性を高めることができる通信装置、通信システム、および通信方法を提供することにある。
【課題を解決するための手段】
【０００７】
本開示の第１の通信装置は、送信部と、受信部とを備えている。送信部は、所定数の送信レーンのそれぞれに対して、所定数の送信レーンにそれぞれ対応づけられた所定数の送信レーン識別子を含む第１のレーン情報を含む第１のフレームを供給するものである。受信部は、所定数の送信レーンのうちの、通信相手が受信可能な信号を送信する１または複数の送信レーンに対応する１または複数の送信レーン識別子を含む第２のレーン情報を受信するものである。送信部が所定数の送信レーンに供給した所定数の第１のフレームのそれぞれは、第１のレーン情報と、その第１のフレームが供給される送信レーンに対応する送信レーン識別子とを含んでいる。第２のレーン情報は、所定数の送信レーン識別子と、通信相手における所定数の受信レーンにそれぞれ対応づけられた所定数の受信レーン識別子との対応関係を示す情報である。
【０００８】
本開示の第２の通信装置は、受信部と、受信制御部とを備えている。受信部は、所定数の受信レーンのうちの１または複数の受信レーンのそれぞれから、通信相手における所定数の送信レーンにそれぞれ対応づけられた所定数の送信レーン識別子を含む第１のレーン情報を含む第１のフレームを受け取るものである。受信制御部は、受信部が１または複数の受信レーンから受け取った１または複数の第１のフレームに基づいて、所定数の送信レーン識別子と、所定数の受信レーンにそれぞれ対応づけられた所定数の受信レーン識別子との対応関係を示す第２のレーン情報を生成するものである。１または複数の第１のフレームのそれぞれは、第１のレーン情報と、その第１のフレームを送信した送信レーンに対応する送信レーン識別子とを含んでいる。受信制御部は、１または複数の第１のフレームに含まれる第１のレーン情報および送信レーン識別子に基づいて第２のレーン情報を生成する。
【０００９】
本開示の通信システムは、第１の通信装置と、第２の通信装置とを備えている。第１の通信装置は、第１の送信部と、第１の受信部とを有している。第１の送信部は、複数の通信レーンのうちの第１の所定数の通信レーンに対応する所定数の送信レーンのそれぞれに対して、所定数の送信レーンにそれぞれ対応づけられた所定数の送信レーン識別子を含む第１のレーン情報を含む第１のフレームを供給するものである。第１の受信部は、所定数の送信レーンのうちの、第２の通信装置が受信可能な信号を送信する１または複数の送信レーンに対応する１または複数の送信レーン識別子を含む第２のレーン情報を受信する。第２の通信装置は、第２の受信部と、受信制御部と、第２の送信部とを有している。第２の受信部は、複数の通信レーンのうちの第２の所定数の通信レーンに対応する所定数の受信レーンのうちの１または複数の受信レーンのそれぞれから、第１のフレームを受け取るものである。受信制御部は、第２の受信部が１または複数の受信レーンから受け取った１または複数の第１のフレームに含まれる第１のレーン情報および送信レーン識別子に基づいて、第２のレーン情報を生成するものである。第２の送信部は、受信制御部が生成した第２のレーン情報を第１の通信装置に送信するものである。第２のレーン情報は、所定数の送信レーン識別子と、所定数の受信レーンにそれぞれ対応づけられた所定数の受信レーン識別子との対応関係を示す情報である。
【００１０】
本開示の通信方法は、第１の通信装置において、複数の通信レーンのうちの第１の所定数の通信レーンに対応する所定数の送信レーンのそれぞれに対して、所定数の送信レーンにそれぞれ対応づけられた所定数の送信レーン識別子を含む第１のレーン情報を含む第１のフレームを供給し、所定数の送信レーンに供給した所定数の第１のフレームのそれぞれは、第１のレーン情報と、その第１のフレームが供給される送信レーンに対応する送信レーン識別子とを含み、第２の通信装置において、複数の通信レーンのうちの第２の所定数の通信レーンに対応する所定数の受信レーンのうちの１または複数の受信レーンのそれぞれから、第１のフレームを受け取り、１または複数の受信レーンから受け取った１または複数の第１のフレームに含まれる第１のレーン情報および送信レーン識別子に基づいて、所定数の送信レーン識別子と、所定数の受信レーンにそれぞれ対応づけられた所定数の受信レーン識別子との対応関係を示す第２のレーン情報を生成し、第２のレーン情報を第１の通信装置に送信するものである。
【００１１】
本開示の第１の通信装置および通信システムでは、所定数の送信レーンのそれぞれに対して、第１のレーン情報が供給される。この第１のレーン情報には、所定数の送信レーンにそれぞれ対応づけられた所定数の送信レーン識別子が含まれる。
【００１２】
本開示の第２の通信装置および通信システムでは、所定数の受信レーンのうちの第１の受信レーンから、第１のレーン情報が供給される。この第１のレーン情報には、通信相手における所定数の送信レーンにそれぞれ対応づけられた所定数の送信レーン識別子が含まれる。
【００１３】
本開示の通信方法では、所定数の送信レーン識別子を含む第１のレーン情報が、所定数の送信レーンのそれぞれに対して供給される。そして、この第１のレーン情報が、所定数の受信レーンのうちの第１の受信レーンから供給される。
【発明の効果】
【００１４】
本開示の第１の通信装置および通信システムによれば、所定数の送信レーンのそれぞれに対して、所定数の送信レーン識別子を含む第１のレーン情報を供給するようにしたので、ユーザの利便性を高めることができる。
【００１５】
本開示の第２の通信装置および通信システムによれば、所定数の受信レーンのうちの第１の受信レーンから、所定数の送信レーン識別子を含む第１のレーン情報を受け取るようにしたので、ユーザの利便性を高めることができる。
【００１６】
本開示の通信方法によれば、所定数の送信レーンのそれぞれに対して、所定数の送信レーン識別子を含む第１のレーン情報を供給し、所定数の受信レーンのうちの第１の受信レーンから、第１のレーン情報を受け取るようにしたので、ユーザの利便性を高めることができる。
【００１７】
なお、ここに記載された効果は必ずしも限定されるものではなく、本開示中に記載されたいずれの効果があってもよい。
【図面の簡単な説明】
【００１８】
【図１】本開示の一実施の形態に係る通信システムの一構成例を表すブロック図である。
【図２】図１に示した通信システムの他の接続状態を表すブロック図である。
【図３】図１に示した送信部および発光部の一構成例を表すブロック図である。
【図４】フレームの一構成例を表す説明図である。
【図５】図１に示した受光部および受信部の一構成例を表すブロック図である。
【図６】図１に示した通信システムの一動作例を表すフローチャートである。
【図７】図１に示した通信システムにおける送信レーン情報の一例を表す表である。
【図８】図１に示した通信システムの一動作例を表す説明図である。
【図９Ａ】図１に示した通信システムにおける物理レーン対応情報の一例を表す表である。
【図９Ｂ】図２に示した通信システムにおける物理レーン対応情報の他の一例を表す表である。
【図１０】図１に示した通信システムの一動作例を表す他の説明図である。
【図１１Ａ】図１に示した通信システムの一動作例を表す他の説明図である。
【図１１Ｂ】図１に示した通信システムの一動作例を表す他の説明図である。
【図１１Ｃ】図１に示した通信システムの一動作例を表す他の説明図である。
【図１１Ｄ】図１に示した通信システムの一動作例を表す他の説明図である。
【図１１Ｅ】図１に示した通信システムの一動作例を表す他の説明図である。
【図１２Ａ】図２に示した通信システムの一動作例を表す他の説明図である。
【図１２Ｂ】図２に示した通信システムの一動作例を表す他の説明図である。
【図１２Ｃ】図２に示した通信システムの一動作例を表す他の説明図である。
【図１２Ｄ】図２に示した通信システムの一動作例を表す他の説明図である。
【図１２Ｅ】図２に示した通信システムの一動作例を表す他の説明図である。
【図１３】変形例に係る通信システムの一構成例を表すブロック図である。
【図１４】図１３に示した送信部および発光部の一構成例を表すブロック図である。
【図１５】図１３に示した受光部および受信部の一構成例を表すブロック図である。
【図１６】図１３に示した通信システムにおける送信レーン情報の一例を表す表である。
【図１７】図１３に示した通信システムにおける物理レーン対応情報の一例を表す表である。
【図１８】図１３に示した通信システムにおける他の物理レーン対応情報の一例を表す表である。
【図１９】他の変形例に係る通信システムの一構成例を表すブロック図である。
【発明を実施するための形態】
【００１９】
以下、本開示の実施の形態について、図面を参照して詳細に説明する。
【００２０】
＜実施の形態＞
［構成例］
図１は、一実施の形態に係る通信システム（通信システム１）の一構成例を表すものである。通信システム１は、複数の通信レーンを有する光通信システムである。なお、本開示の実施の形態に係る通信装置および通信方法は、本実施の形態により具現化されるので、併せて説明する。通信システム１は、光ケーブル１０と、通信装置２０と、通信装置３０とを備えている。
【００２１】
光ケーブル１０は、８本の光ファイバ１１１〜１１４，１２１〜１２４と、コネクタ１３，１４とを有している。光ファイバ１１１〜１１４は、通信装置２０から通信装置３０に光信号を伝えるものであり、光ファイバ１２１〜１２４は、通信装置３０から通信装置２０に光信号を伝えるものである。コネクタ１３は、光ケーブル１０の一端に設けられたものであり、通信装置２０のコネクタ２１と結合するように構成されている。図示していないが、コネクタ１３では、光ファイバ１１１〜１１４に係る４つの端子が対称に配置されるとともに、光ファイバ１２１〜１２４に係る４つの端子が対称に配置される。これにより、コネクタ１３は、通信装置２０のコネクタ２１と、リバーシブルに結合することができるようになっている。コネクタ１４は、光ケーブル１０の他端に設けられたものであり、通信装置３０のコネクタ３１と結合するように構成されている。図示していないが、コネクタ１４では、光ファイバ１１１〜１１４に係る４つの端子が対称に配置されるとともに、光ファイバ１２１〜１２４に係る４つの端子が対称に配置される。これにより、コネクタ１４は、通信装置３０のコネクタ３１と、リバーシブルに結合することができるようになっている。
【００２２】
図２は、他の接続状態における通信システム１の一例を表すものである。通信システム１では、光ケーブル１０を、通信装置２０，３０にリバーシブルに接続することができるため、図１，２に示したように、互いに接続されるべき通信装置２０，３０の端子のペアが一意的に決まらない。通信システム１では、このような場合でも、後述するように、正しくデータのやりとりを行うことができるようになっている。これにより、通信システム１では、ユーザがコネクタの向きを意識せずに光ケーブル１０と通信機器２０，３０とを接続することができるため、ユーザの利便性を高めることができるようになっている。
【００２３】
（通信装置２０から通信装置３０へのデータ通信）
次に、通信装置２０から通信装置３０へのデータ通信に着目して、通信装置２０，３０の各構成要素について説明する。通信装置２０は、コネクタ２１と、処理部２２１〜２２４と、送信部４０と、発光部４３と、接続検出部２４と、レーン制御部２５とを有している。通信装置３０は、コネクタ３１と、受光部５１と、受信部５０と、処理部３７１〜３７４と、レーン構成取得部３８と、レーン制御部３５とを有している。
【００２４】
通信装置２０のコネクタ２１は、光ケーブル１０のコネクタ１３と結合するように構成されたものである。
【００２５】
処理部２２１〜２２４は、データＩＮＦをそれぞれ生成する情報源である。処理部２２１〜２２４には、互いに異なる論理レーン番号ＬＮ（ＬＮ：１〜４）がそれぞれ割り当てられている。そして、処理部２２１〜２２４は、生成したデータＩＮＦを送信部４０にそれぞれ供給するようになっている。なお、この例では、４つの処理部２２１〜２２４を設けたが、これに限定されるものではなく、３つ以下の処理部を設けてもよいし、５つ以上の処理部を設けてもよい。
【００２６】
送信部４０は、データＩＮＦに基づいて４つの送信信号を生成し、発光部４３に供給するものである。発光部４３は、送信部４０から供給された４つの送信信号（電気信号）に基づいて４つの光信号を生成し、光ファイバ１１１〜１１４を介して通信装置３０に対して送信するものである。
【００２７】
図３は、送信部４０および発光部４３の一構成例を表すものである。発光部４３は、電気信号を光信号に変換する４つのＬＤ（Laser Diode）部４３１〜４３４を有するものである。ＬＤ部４３１〜４３４のそれぞれは、例えばレーザダイオードを含んで構成されるものであり、信号ＣＴＬ２１に基づいて、オン状態またはオフ状態に設定されるようになっている。これらの４つのＬＤ部４３１〜４３４は、物理レーンＰＴ１〜ＰＴ４にそれぞれ対応している。物理レーンＰＴ１〜ＰＴ４には、“１”から“４”の値の物理レーン番号ＰＮＴがそれぞれ割り当てられている。以下、物理レーンＰＴ１〜ＰＴ４のうちのいずれか１つを表すものとして、物理レーンＰＴを適宜用いる。
【００２８】
送信部４０は、フレーム生成部４１と、レーンマッピング部４２とを有している。
【００２９】
フレーム生成部４１は、データＩＮＦ、およびレーン制御部２５から供給された信号ＣＴＬ２１に基づいて、フレームＦを生成するものである。
【００３０】
図４は、フレームＦの一構成例を表すものである。フレームＦは、ヘッダＨと、データＩＮＦとを有している。ヘッダＨは、同期情報ＳＹＮＣと、物理レーン番号ＰＮＴと、論理レーン番号ＬＮとを有している。同期情報ＳＹＮＣ、物理レーン番号ＰＮＴ、および論理レーン番号ＬＮは、ヘッダＨにおいてこの順に配置されている。同期情報ＳＹＮＣは、フレームＦの先頭に配置されたものであり、一連のストリームにおけるフレームＦの区切りを識別するためのものである。物理レーン番号ＰＮＴは、物理レーンＰＴ１〜ＰＴ４のうちの、そのフレームＦを送信する際に使用する物理レーンＰＴに対応するものである。論理レーン番号ＬＮは、処理部２２１〜２２４のうちのデータＩＮＦを生成した処理部に対応するものである。
【００３１】
フレーム生成部４１は、データＩＮＦが供給されると、ヘッダＨを生成して、データＩＮＦにそのヘッダＨを付することによりフレームＦを生成する。その際、フレーム生成部４１は、信号ＣＴＬ２１に基づいて、物理レーンＰＴ１〜ＰＴ４のうちの使用する物理レーンＰＴを選択し、その選択した物理レーンＰＴに対応する物理レーン番号ＰＮＴを用いてヘッダＨを生成する。そして、フレーム生成部４１は、そのフレームＦを、レーンマッピング部４２に供給するようになっている。
【００３２】
また、フレーム生成部４１は、データ通信を始める前の準備動作において、発光部４３において使用可能な物理レーンＰＴの物理レーン番号ＰＮＴに係る送信レーン情報ＴＬ１をデータＩＮＦに含むフレームＦ（以下フレームＦpreともいう）を生成する。“使用可能な物理レーンＰＴ”は、例えば、発光部４３に実装されている物理レーンＰＴ（この例では物理レーンＰＴ１〜ＰＴ４）である。この送信レーン情報ＴＬ１は、レーン制御部２５から、信号ＣＴＬ２１を用いて供給される。そして、フレーム生成部４１は、生成したフレームＦpreを、レーンマッピング部４２に供給するようになっている。
【００３３】
レーンマッピング部４２は、フレーム生成部４１から供給されたフレームＦに含まれる物理レーン番号ＰＮＴに基づいて、物理レーンＰＴ１〜ＰＴ４（ＬＤ部４３１〜４３４）のうちのその物理レーン番号ＰＮＴに対応する物理レーンＰＴに対して、フレームＦを供給するものである。具体的には、レーンマッピング部４２は、フレームＦに含まれる物理レーン番号ＰＮＴが“１”である場合には、そのフレームＦを物理レーンＰＴ１（ＬＤ部４３１）に供給し、フレームＦに含まれる物理レーン番号ＰＮＴが“２”である場合には、そのフレームＦを物理レーンＰＴ２（ＬＤ部４３２）に供給し、フレームＦに含まれる物理レーン番号ＰＮＴが“３”である場合には、そのフレームＦを物理レーンＰＴ３（ＬＤ部４３３）に供給し、フレームＦに含まれる物理レーン番号ＰＮＴが“４”である場合には、そのフレームＦを物理レーンＰＴ４（ＬＤ部４３４）に供給するようになっている。
【００３４】
接続検出部２４は、光ケーブル１０のコネクタ１３が、コネクタ２１に接続されたことを検出し、検出結果をレーン制御部２８に通知するものである。検出方法としては、例えば、コネクタ１３とコネクタ２１が結合したことを機械的に検出してもよいし、また、例えば、通信装置２０と通信装置３０との間で光信号のやりとりができることを検出してもよい。
【００３５】
レーン制御部２５は、信号ＣＴＬ２１を用いて、送信部４０および発光部４３における送信動作を制御するものである。具体的には、レーン制御部２５は、通信装置２０の発光部４３における物理レーンＰＴ１〜ＰＴ４と、通信装置３０の受光部５１における物理レーンＰＲ１〜ＰＲ４（後述）との対応関係を示す物理レーン対応情報ＴＢＬ１に基づいて、送信部４０および発光部４３における送信動作を制御するようになっている。また、レーン制御部２５は、データ通信を始める前の準備動作において、送信レーン情報ＴＬ１を生成し、この送信レーン情報ＴＬ１を、信号ＣＴＬ２１を用いて送信部４０に供給する機能をも有している。
【００３６】
通信装置３０のコネクタ３１は、光ケーブル１０のコネクタ１４と結合するように構成されたものである。
【００３７】
受光部５１は、通信装置２０の発光部４３から光ファイバ１１１〜１１４を介して送信された４つの光信号に基づいて、４つの受信信号（電気信号）を生成するものである。受信部５０は、受光部５１から供給された４つの受信信号に基づいて、フレームＦを受け取るものである。
【００３８】
図５は、受光部５１および受信部５０の一構成例を表すものである。受光部５１は、光信号を電気信号に変換する４つのＰＤ（Photo Diode）部５１１〜５１４を有している。ＰＤ部５１１〜５１４のそれぞれは、例えばフォトダイオードを含んで構成されるものであり、信号ＣＴＬ３２に基づいて、オン状態またはオフ状態に設定されるようになっている。これらのＰＤ部５１１〜５１４は、物理レーンＰＲ１〜ＰＲ４にそれぞれ対応している。物理レーンＰＲ１〜ＰＲ４には、“１”から“４”の値の物理レーン番号ＰＮＲがそれぞれ割り当てられている。以下、物理レーンＰＲ１〜ＰＲ４のうちのいずれか１つを表すものとして、物理レーンＰＲを適宜用いる。
【００３９】
受信部５０は、フレームデコーダ部５２と、レーンデマッパ部５３とを有している。
【００４０】
フレームデコーダ部５２は、受光部５１から供給された受信信号に含まれるフレームＦから、同期情報ＳＹＮＣおよび物理レーン番号ＰＮＴを取り除き、残りの部分（論理レーン番号ＬＮおよびデータＩＮＦ）をレーンデマッパ部５３に供給するものである。また、フレームデコーダ部５２は、データ通信を始める前の準備動作において、フレームＦpreのデータＩＮＦに含まれる送信レーン情報ＴＬ１と、そのフレームＦpreのヘッダＨに含まれる物理レーン番号ＰＮＴと、そのフレームＦpreを受信した物理レーンＰＲの物理レーン番号ＰＮＲとを、信号ＣＴＬ３３を用いてレーン構成取得部３８に供給するようになっている。
【００４１】
レーンデマッパ部５３は、データＩＮＦに付された論理レーン番号ＬＮに基づいて、データＩＮＦを、処理部３７１〜３７４のうちの、その論理レーン番号ＬＮに割り当てられた処理部に供給するものである。
【００４２】
処理部３７１〜３７４は、データＩＮＦを受け取るものである。処理部３７１〜３７４には、互いに異なる論理レーン番号ＬＮ（ＬＮ：１〜４）がそれぞれ割り当てられている。そして、処理部３７１〜３７４は、受け取ったデータＩＮＦに基づいて所定の処理を行うようになっている。なお、この例では、４つの処理部３７１〜３７４を設けたが、これに限定されるものではなく、３つ以下の処理部を設けてもよいし、５つ以上の処理部を設けてもよい。
【００４３】
レーン構成取得部３８は、データ通信を始める前の準備動作において、物理レーン対応情報ＴＢＬ１を生成するものである。具体的には、レーン構成取得部３８は、まず、フレームデコーダ部５２から、フレームＦpreに含まれる送信レーン情報ＴＬ１と、そのフレームＦpreのヘッダＨに含まれる物理レーン番号ＰＮＴと、そのフレームＦpreを受信した物理レーンＰＲの物理レーン番号ＰＮＲとを受け取る。そして、レーン構成取得部３８は、これらの情報に基づいて、通信装置２０の発光部４３における物理レーンＰＴ１〜ＰＴ４と、通信装置３０の受光部５１における物理レーンＰＲ１〜ＰＲ４との対応関係を示す物理レーン対応情報ＴＢＬ１を生成する。そして、レーン構成取得部３８は、生成した物理レーン対応情報ＴＢＬ１を、レーン制御部３５に供給するようになっている。
【００４４】
レーン制御部３５は、物理レーン対応情報ＴＢＬ１に基づいて、信号ＣＴＬ３２を用いて、受光部５１における受信動作を制御するものである。また、レーン制御部３５は、データ通信を始める前の準備動作において、この物理レーン対応情報ＴＢＬ１を、送信部６０（後述）、発光部６３（後述）、光ファイバ１２１〜１２４、受光部７１（後述）、受信部７０（後述）、およびレーン構成取得部２８（後述）を介して、通信装置２０のレーン制御部２５に供給する機能をも有している。
【００４５】
（通信装置３０から通信装置２０へのデータ通信）
次に、通信装置３０から通信装置２０へのデータ通信に着目して、通信装置２０，３０の各構成要素について説明する。通信装置３０は、処理部３２１〜３２４と、送信部６０と、発光部６３と、接続検出部３４とを有している。通信装置２０は、受光部７１と、受信部７０と、処理部２７１〜２７４と、レーン構成取得部２８とを有している。
【００４６】
処理部３２１〜３２４は、通信装置２０の処理部２２１〜２２４と同様に、データＩＮＦをそれぞれ生成する情報源である。送信部６０および発光部６３は、図３に示したように、通信装置の送信部４０および発光部４３と同様の構成を有するものであり、データＩＮＦに基づいて光信号を生成し、光ファイバ１２１〜１２４を介して通信装置２０に対して送信するものである。送信部６０のフレーム生成部４１は、データ通信を始める前の準備動作において、発光部６３において使用可能な物理レーンＰＴの物理レーン番号ＰＮＴに係る送信レーン情報ＴＬ２をデータＩＮＦに含むフレームＦpreを生成するものである。接続検出部３４は、光ケーブル１０のコネクタ１４が、コネクタ３１に接続されたことを検出し、検出結果をレーン制御部３５に通知するものである。
【００４７】
レーン制御部３５は、信号ＣＴＬ３１を用いて、送信部６０および発光部６３における送信動作を制御する機能をも有している。具体的には、レーン制御部３５は、通信装置３０の発光部６３における物理レーンＰＴ１〜ＰＴ４と、通信装置２０の受光部７１における物理レーンＰＲ１〜ＰＲ４（後述）との対応関係を示す物理レーン対応情報ＴＢＬ２に基づいて、送信部６０および発光部６３における送信動作を制御する機能を有している。また、レーン制御部３５は、データ通信を始める前の準備動作において、送信レーン情報ＴＬ２を生成し、この送信レーン情報ＴＬ２を、信号ＣＴＬ３１を用いて送信部６０に供給する機能をも有している。
【００４８】
通信装置２０の受光部７１および受信部７０は、図５に示したように、通信装置３０の受光部５１および受信部５０と同様の構成を有するものであり、通信装置３０から光ファイバ１２１〜１２４を介して送信された光信号を受信して、フレームＦを受け取るものである。受信部７０のフレームデコーダ部５２は、データ通信を始める前の準備動作において、フレームＦpreのデータＩＮＦに含まれる送信レーン情報ＴＬ２と、そのフレームＦpreのヘッダＨに含まれる物理レーン番号ＰＮＴと、そのフレームＦpreを受信した物理レーンＰＲの物理レーン番号ＰＮＲとを、信号ＣＴＬ２３を用いてレーン構成取得部２８に供給するものである。処理部２７１〜２７４は、通信装置３０の処理部３７１〜３７４と同様に、データＩＮＦを受け取るものである。レーン構成取得部２８は、データ通信を始める前の準備動作において、通信装置３０のレーン構成取得部３８と同様に、物理レーン対応情報ＴＢＬ２を生成するものである。
【００４９】
レーン制御部２５は、物理レーン対応情報ＴＢＬ２に基づいて、信号ＣＴＬ２２を用いて、受光部７１における受信動作を制御する機能をも有している。また、レーン制御部２５は、データ通信を始める前の準備動作において、この物理レーン対応情報ＴＢＬ２を、送信部４０、発光部４３、光ファイバ１１１〜１１４、受光部５１、受信部５０、およびレーン構成取得部３８を介して、通信装置３０のレーン制御部３５に供給する機能をも有している。
【００５０】
通信装置２０において、処理部２２１〜２２４、送信部４０、接続検出部２４、レーン制御部２５、受信部７０、処理部２７１〜２７４、およびレーン構成取得部２８は、例えば、半導体チップに集積される。また、通信装置３０において、処理部３２１〜３２４、送信部６０、接続検出部３４、レーン制御部３５、受信部５０、処理部３７１〜３７４、およびレーン構成取得部３８は、例えば、半導体チップに集積される。
【００５１】
ここで、レーン制御部２５，３５は、本開示における「送信制御部」の一具体例に対応する。レーン制御部２５，３５、およびレーン構成取得部２８，３８は、本開示における「受信制御部」の一具体例に対応する。物理レーンＰＴは、本開示における「送信レーン」の一具体例に対応する。物理レーン番号ＰＮＴは、本開示における「送信レーン識別子」の一具体例に対応する。物理レーンＰＲは、本開示における「受信レーン」の一具体例に対応する。物理レーン番号ＰＮＲは、本開示における「受信レーン識別子」の一具体例に対応する。論理レーン番号ＬＮは、本開示における「データ識別子」の一具体例に対応する。送信レーン情報ＴＬ１，ＴＬ２は、本開示における「第１のレーン情報」の一具体例に対応する。物理レーン対応情報ＴＢＬ１，ＴＢＬ２は、本開示における「第２のレーン情報」の一具体例に対応する。光ファイバ１１１〜１１４，１２１〜１２４は、本開示における「複数の通信レーン」の一具体例に対応する。
【００５２】
［動作および作用］
続いて、本実施の形態の通信システム１の動作および作用について説明する。
【００５３】
（全体動作概要）
まず、図１を参照して、通信システム１の全体動作概要を説明する。以下では、通信装置２０から通信装置３０へのデータ通信を例に説明する。なお、通信装置３０から通信装置２０へのデータ通信も同様である。
【００５４】
通信装置２０において、送信部４０は、データ通信に先立ち、送信レーン情報ＴＬ１をデータＩＮＦに含むフレームＦpreを生成し、通信装置３０に対して送信する。通信装置３０では、受信部５０が、このフレームＦpreを受信する。そして、レーン構成取得部３８が、フレームＦpreのデータＩＮＦに含まれる送信レーン情報ＴＬ１と、そのフレームＦpreのヘッダＨに含まれる物理レーン番号ＰＮＴと、そのフレームＦpreを受信した物理レーンＰＲの物理レーン番号ＰＮＲとに基づいて、物理レーン対応情報ＴＢＬ１を生成する。レーン制御部３５は、この物理レーン対応情報ＴＢＬ１を、光ファイバ１２１〜１２４を介して、通信装置２０のレーン制御部２５に供給する。これにより、通信装置２０，３０は、物理レーン対応情報ＴＢＬ１を取得する。
【００５５】
その後、通信装置２０は、通信装置３０に対してデータ通信を開始する。具体的には、通信装置２０では、レーン制御部２５が、物理レーン対応情報ＴＢＬ１に基づいて、送信部４０および発光部４３における送信動作を制御する。そして、送信部４０が、処理部２２１〜２２４から供給されたデータＩＮＦに基づいて、フレームＦを生成し、通信装置３０に対してフレームＦを送信する。通信装置３０では、レーン制御部３５が、物理レーン対応情報ＴＢＬ１に基づいて、受光部５１における受信動作を制御する。そして、受信部５０が、受け取ったフレームＦに基づいてデータＩＮＦを取得し、処理部３７１〜３７４に供給する。
【００５６】
（詳細動作）
図６は、通信システム１における詳細動作を表すものである。以下では、通信装置２０から通信装置３０へのデータ通信を例に説明する。なお、通信装置３０から通信装置２０へのデータ通信も同様である。
【００５７】
まず、通信システム１では、まず接続検出が行われる（ステップＳ１）。そして、その後に、データ通信に先立ち、通信装置２０，３０は、物理レーン対応情報ＴＢＬ１を取得し（ステップＳ２）、その物理レーン対応情報ＴＢＬ１に基づいて、物理レーンＰＴ１〜ＰＴ４，ＰＲ１〜ＰＲ４のオンオフ制御を行う（ステップＳ３）。その後に、通信装置２０は、通信装置３０に対してデータ通信を行う（ステップＳ４）。以下に、この動作について、詳細に説明する。
【００５８】
（接続検出）
まず、通信装置２０，３０は、接続検出を行う（ステップＳ１）。具体的には、通信装置２０の接続検出部２４は、光ケーブル１０が通信装置２０に接続されたことを検出し、その検出結果をレーン制御部２５に通知する。同様に、通信装置３０の接続検出部３４は、光ケーブル１０が通信装置３０に接続されたことを検出し、その検出結果をレーン制御部３５に通知する。なお、通信装置２０，３０に光ケーブル１０が接続されてない場合には、次のステップＳ２には進まない。
【００５９】
（物理レーン対応情報の取得）
次に、通信装置２０，３０は、物理レーン対応情報を取得する（ステップＳ２）。
【００６０】
具体的には、まず、通信装置２０のレーン制御部２５は、送信レーン情報ＴＬ１を、信号ＣＴＬ２１を用いて送信部４０に供給する。
【００６１】
図７は、送信レーン情報ＴＬ１の一構成例を表すものである。この例では、発光部４３には、図３に示したように、４つの物理レーンＰＴ１〜ＰＴ４が実装されている。すなわち、発光部４３では、４つの物理レーンＰＴ１〜ＰＴ４が使用可能である。よって、レーン制御部２５は、これらの４つの物理レーンＰＴ１〜ＰＴ４に対応する物理レーン番号ＰＮＴを含む送信レーン情報ＴＬ１を生成する。
【００６２】
そして、送信部４０のフレーム生成部４１は、この送信レーン情報ＴＬ１に基づいて、この送信レーン情報ＴＬ１をデータＩＮＦに含むフレームＦpreを生成する。
【００６３】
図８は、フレーム生成部４１が生成するフレームＦpreの一構成例を表すものである。この例では、フレーム生成部４１は、４つのフレームＦpre1〜Ｆpre4を生成する。具体的には、フレーム生成部４１は、データＩＮＦ（送信レーン情報ＴＬ１）に、同期情報ＳＹＮＣと、値が“１”である物理レーン番号ＰＮＴと、値が“０”である論理レーン番号ＬＮを付して、フレームＦpre1を生成する。同様に、フレーム生成部４１は、データＩＮＦ（送信レーン情報ＴＬ１）に、同期情報ＳＹＮＣと、値が“２”である物理レーン番号ＰＮＴと、値が“０”である論理レーン番号ＬＮを付して、フレームＦpre2を生成し、データＩＮＦ（送信レーン情報ＴＬ１）に、同期情報ＳＹＮＣと、値が“３”である物理レーン番号ＰＮＴと、値が“０”である論理レーン番号ＬＮを付して、フレームＦpre3を生成し、データＩＮＦ（送信レーン情報ＴＬ１）に、同期情報ＳＹＮＣと、値が“４”である物理レーン番号ＰＮＴと、値が“０”である論理レーン番号ＬＮを付して、フレームＦpre4を生成する。すなわち、フレームＦpre1〜Ｆpre4は、ヘッダＨにおける物理レーン番号ＰＮＴのみが互いに異なっている。
【００６４】
レーンマッピング部４２は、フレームＦpre1〜Ｆpre4のヘッダＨにおける物理レーン番号ＰＮＴに基づいて、フレームＦpre1〜Ｆpre4のそれぞれを、その物理レーン番号ＰＮＴに対応する物理レーンＰＴに対して供給する。具体的には、レーンマッピング部４２は、物理レーンＰＴ１にフレームＦpre1を供給し、物理レーンＰＴ２にフレームＦpre2を供給し、物理レーンＰＴ３にフレームＦpre3を供給し、物理レーンＰＴ４にフレームＦpre4を供給する。
【００６５】
このようにして、通信装置２０の送信部４０は、４つの光ファイバ１１１〜１１４を介して、フレームＦpre1〜Ｆpre4を送信する。そして、通信装置３０の受信部５０は、これらのフレームＦpre1〜Ｆpre4を受信する。
【００６６】
通信装置３０の受信部５０において、フレームデコーダ部５２は、フレームＦpre1〜Ｆpre4のそれぞれに含まれる送信レーン情報ＴＬ１と、そのフレームＦpre1〜Ｆpre4のヘッダＨに含まれる物理レーン番号ＰＮＴと、そのフレームＦpre1〜Ｆpre4を受信した物理レーンＰＲの物理レーン番号ＰＮＲとを、レーン構成取得部３８に供給する。そして、レーン構成取得部３８は、これらの情報に基づいて、物理レーン対応情報ＴＢＬ１を生成する。
【００６７】
図９Ａ，９Ｂは、物理レーン対応情報ＴＢＬ１の一例を表すものであり、図９Ａは、通信装置２０と通信装置３０とが図１のように接続された場合（ケースＣ１）を示し、図９Ｂは、通信装置２０と通信装置３０とが図２のように接続された場合（ケースＣ２）を示す。
【００６８】
通信装置２０と通信装置３０とが図１のように接続された場合（ケースＣ１）には、通信装置３０の受光部５１における物理レーンＰＲ１（物理レーン番号ＰＮＲ＝１）は、値が“１”である物理レーン番号ＰＮＴを含むフレームＦpre1を受信する。同様に、物理レーンＰＲ２（物理レーン番号ＰＮＲ＝２）は、値が“２”である物理レーン番号ＰＮＴを含むフレームＦpre2を受信し、物理レーンＰＲ３（物理レーン番号ＰＮＲ＝３）は、値が“３”である物理レーン番号ＰＮＴを含むフレームＦpre3を受信し、物理レーンＰＲ４（物理レーン番号ＰＮＲ＝４）は、値が“４”である物理レーン番号ＰＮＴを含むフレームＦpre4を受信する。よって、図９Ａに示したように、物理レーン番号ＰＮＴの値“１”は物理レーン番号ＰＮＲの値“１”と対応し、物理レーン番号ＰＮＴの値“２”は物理レーン番号ＰＮＲの値“２”と対応し、物理レーン番号ＰＮＴの値“３”は物理レーン番号ＰＮＲの値“３”と対応し、物理レーン番号ＰＮＴの値“４”は物理レーン番号ＰＮＲの値“４”と対応する。
【００６９】
一方、通信装置２０と通信装置３０とが図２のように接続された場合（ケースＣ２）には、通信装置３０の受光部５１における物理レーンＰＲ１（物理レーン番号ＰＮＲ＝１）は、値が“４”である物理レーン番号ＰＮＴを含むフレームＦpre4を受信する。同様に、物理レーンＰＲ２（物理レーン番号ＰＮＲ＝２）は、値が“３”である物理レーン番号ＰＮＴを含むフレームＦpre3を受信し、物理レーンＰＲ３（物理レーン番号ＰＮＲ＝３）は、値が“２”である物理レーン番号ＰＮＴを含むフレームＦpre2を受信し、物理レーンＰＲ４（物理レーン番号ＰＮＲ＝４）は、値が“１”である物理レーン番号ＰＮＴを含むフレームＦpre1を受信する。よって、図９Ｂに示したように、物理レーン番号ＰＮＴの値“１”は物理レーン番号ＰＮＲの値“４”と対応し、物理レーン番号ＰＮＴの値“２”は物理レーン番号ＰＮＲの値“３”と対応し、物理レーン番号ＰＮＴの値“３”は物理レーン番号ＰＮＲの値“２”と対応し、物理レーン番号ＰＮＴの値“４”は物理レーン番号ＰＮＲの値“１”と対応する。
【００７０】
レーン制御部３５は、レーン構成取得部３８からこの物理レーン対応情報ＴＢＬ１を取得し、この物理レーン対応情報ＴＢＬ１を、信号ＣＴＬ３１を用いて、送信部６０に供給する。送信部６０のフレーム生成部４１は、信号ＣＴＬ３１に基づいて、この物理レーン対応情報ＴＢＬ１をデータＩＮＦに含むフレームＦpreを生成する。
【００７１】
図１０は、送信部６０のフレーム生成部４１が生成するフレームＦpreの一構成例を表すものである。この例では、フレーム生成部４１は、４つのフレームＦpre11〜Ｆpre14を生成する。具体的には、フレーム生成部４１は、データＩＮＦ（物理レーン対応情報ＴＢＬ１）に、同期情報ＳＹＮＣと、値が“１”である物理レーン番号ＰＮＴと、値が“０”である論理レーン番号ＬＮとを付して、フレームＦpre11を生成する。同様に、フレーム生成部４１は、データＩＮＦ（物理レーン対応情報ＴＢＬ１）に、同期情報ＳＹＮＣと、値が“２”である物理レーン番号ＰＮＴと、値が“０”である論理レーン番号ＬＮとを付して、フレームＦpre12を生成し、データＩＮＦ（物理レーン対応情報ＴＢＬ１）に、同期情報ＳＹＮＣと、値が“３”である物理レーン番号ＰＮＴと、値が“０”である論理レーン番号ＬＮとを付して、フレームＦpre13を生成し、データＩＮＦ（物理レーン対応情報ＴＢＬ１）に、同期情報ＳＹＮＣと、値が“４”である物理レーン番号ＰＮＴと、値が“０”である論理レーン番号ＬＮとを付して、フレームＦpre14を生成する。すなわち、フレームＦpre11〜Ｆpre14は、ヘッダＨにおける物理レーン番号ＰＮＴのみが互いに異なっている。
【００７２】
送信部６０のレーンマッピング部４２は、フレームＦpre11〜Ｆpre14のヘッダＨにおける物理レーン番号ＰＮＴに基づいて、その物理レーン番号ＰＮＴに対応する物理レーンＰＬに対して、フレームＦを供給する。
【００７３】
このようにして、通信装置３０の送信部６０は、４つの光ファイバ１２１〜１２４を介して、フレームＦpre11〜Ｆpre14を送信する。そして、通信装置２０の受信部７０は、これらのフレームＦpre11〜Ｆpre14を受信する。
【００７４】
通信装置２０の受信部７０において、フレームデコーダ部５２は、フレームＦpre11〜Ｆpre14のデータＩＮＦに含まれる物理レーン対応情報ＴＢＬ１を、レーン構成取得部２８を介してレーン制御部２５に供給する。
【００７５】
このようにして、通信装置２０のレーン制御部２５および通信装置３０のレーン制御部３５は、物理レーン対応情報ＴＢＬ１を取得する。
【００７６】
（物理レーンのオンオフ制御）
次に、通信装置２０，３０は、物理レーンＰＴ１〜ＰＴ４，ＰＲ１〜ＰＲ４のそれぞれをオン状態またはオフ状態に設定する（ステップＳ３）。具体的には、通信装置２０において、レーン制御部２５は、物理レーン対応情報ＴＢＬ１に基づいて、発光部４３の物理レーンＰＴ１〜ＰＴ４のうちの使用する物理レーンＰＴをオン状態に設定し、使用しない物理レーンＰＴをオフ状態に設定する。同様に、通信装置３０において、レーン制御部３５は、物理レーン対応情報ＴＢＬ１に基づいて、受光部５１の物理レーンＰＲ１〜ＰＲ４のうちの使用する物理レーンＰＲをオン状態に設定し、使用しない物理レーンＰＲをオフ状態に設定する。
【００７７】
この例では、図９Ａまたは図９Ｂに示したように、発光部４３における４つの物理レーンＰＴ１〜ＰＴ４は、受光部５１における４つの物理レーンＰＲ１〜ＰＲ４と対応しているため、物理レーンＰＴ１〜ＰＴ４，ＰＲ１〜ＰＲ４の全てを使用することができる。よって、レーン制御部２５は、発光部４３における物理レーンＰＴ１〜ＰＴ４の全てをオン状態に設定し、レーン制御部３５は、受光部５１における物理レーンＰＲ１〜ＰＲ４の全てをオン状態に設定する。
【００７８】
（データ通信）
次に、通信装置２０は、通信装置３０へのデータ通信を行う。以下に、通信装置２０と通信装置３０とが図１のように接続された場合（ケースＣ１）、および通信装置２０と通信装置３０とが図２のように接続された場合（ケースＣ２）の２つの場合を例に、データ通信について説明する。
【００７９】
図１１Ａ〜１１Ｅは、通信装置２０と通信装置３０とが図１のように接続された場合（ケースＣ１）における、通信装置２０，３０の一動作例を表すものであり、図１１Ａは、処理部２２１〜２２４の出力信号を示し、図１１Ｂは、物理レーンＰＴ１〜ＰＴ４が送信する信号を示し、図１１Ｃは、物理レーンＰＲ１〜ＰＲ４が受信する信号を示し、図１１Ｄは、フレームデコーダ部５２の出力信号を示し、図１１Ｅは、処理部３７１〜３７４の入力信号を示す。
【００８０】
まず、処理部２２１〜２２４は、データＩＮＦをそれぞれ生成する。この例では、図１１Ａに示したように、処理部２２１〜２２４は、データＩＮＦ１〜ＩＮＦ４をそれぞれ生成する。
【００８１】
次に、フレーム生成部４１は、論理レーンの割り当てを行うことによりフレームＦを生成する。具体的には、フレーム生成部４１は、処理部２２１〜２２４から供給されるデータＩＮＦを、通信装置２０から通信装置３０への伝送能力と、そのデータＩＮＦの伝送優先度に基づいて選択する。そして、フレーム生成部４１は、同期情報ＳＹＮＣ、物理レーンＰＴ１〜ＰＴ４のうちの使用する物理レーンＰＴに対応する物理レーン番号ＰＮＴ、および処理部２２１〜２２４のうちのそのデータＩＮＦを供給した処理部に対応する論理レーン番号ＬＮを含むヘッダＨを生成する。そして、フレーム生成部４１は、データＩＮＦにそのヘッダＨを付して、フレームＦを生成する。
【００８２】
そして、レーンマッピング部４２は、フレームＦのヘッダＨにおける物理レーン番号ＰＮＴに基づいて、物理レーンＰＴ１〜ＰＴ４のうち、その物理レーン番号ＰＮＴに対応する物理レーンＰＴに対して、フレームＦを供給する。
【００８３】
この例では、図１１Ｂに示したように、物理レーンＰＴ１は、同期情報ＳＹＮＣ、値が“１”である物理レーン番号ＰＮＴ、値が“１”である論理レーン番号ＬＮ、およびデータＩＮＦ１を含むフレームＦ１を送信し、物理レーンＰＴ２は、同期情報ＳＹＮＣ、値が“２”である物理レーン番号ＰＮＴ、値が“２”である論理レーン番号ＬＮ、およびデータＩＮＦ２を含むフレームＦ２を送信し、物理レーンＰＴ３は、同期情報ＳＹＮＣ、値が“３”である物理レーン番号ＰＮＴ、値が“３”である論理レーン番号ＬＮ、およびデータＩＮＦ３を含むフレームＦ３を送信し、物理レーンＰＴ４は、同期情報ＳＹＮＣ、値が“４”である物理レーン番号ＰＮＴ、値が“４”である論理レーン番号ＬＮ、およびデータＩＮＦ４を含むフレームＦ４を送信する。
【００８４】
このようにして、通信装置２０の送信部４０は、４つの光ファイバ１１１〜１１４を介して、フレームＦ１〜Ｆ４を送信する。そして、通信装置３０の受信部５０は、これらのフレームＦ１〜Ｆ４を受信する。この例では、通信装置２０と通信装置３０とが図１のように接続されている。よって、通信装置３０の受光部５１では、図１１Ｃに示したように、物理レーンＰＲ１がフレームＦ１を受信し、物理レーンＰＲ２がフレームＦ２を受信し、物理レーンＰＲ３がフレームＦ３を受信し、物理レーンＰＲ４がフレームＦ４を受信する。
【００８５】
フレームデコーダ部５２は、フレームＦから、同期情報ＳＹＮＣおよび物理レーン番号ＰＮＴを取り除き、残りの部分（論理レーン番号ＬＮおよびデータＩＮＦ）をレーンデマッパ部５３に供給する。この例では、図１１Ｄに示したように、フレームデコーダ部５２は、フレームＦ１に含まれる、値が“１”の論理レーン番号ＬＮおよびデータＩＮＦ１をレーンデマッパ部５３に供給し、フレームＦ２に含まれる、値が“２”の論理レーン番号ＬＮおよびデータＩＮＦ２をレーンデマッパ部５３に供給し、フレームＦ３に含まれる、値が“３”の論理レーン番号ＬＮおよびデータＩＮＦ３をレーンデマッパ部５３に供給し、フレームＦ４に含まれる、値が“４”の論理レーン番号ＬＮおよびデータＩＮＦ４をレーンデマッパ部５３に供給する。
【００８６】
レーンデマッパ部５３は、データＩＮＦに付された論理レーン番号ＬＮに基づいて、データＩＮＦを、処理部３７１〜３７４のうちの、その論理レーン番号ＬＮに割り当てられた処理部に供給する。この例では、図１１Ｅに示したように、レーンデマッパ部５３は、値が“１”の論理レーン番号ＬＮが付されたデータＩＮＦ１を処理部３７１に供給し、値が“２”の論理レーン番号ＬＮが付されたデータＩＮＦ２を処理部３７２に供給し、値が“３”の論理レーン番号ＬＮが付されたデータＩＮＦ３を処理部３７３に供給し、値が“４”の論理レーン番号ＬＮが付されたデータＩＮＦ４を処理部３７４に供給する。
【００８７】
図１２Ａ〜１２Ｅは、通信装置２０と通信装置３０とが図２のように接続された場合（ケースＣ２）における、通信装置２０，３０の一動作例を表すものである。
【００８８】
まず、処理部２２１〜２２４は、図１２Ａに示したように、ケースＣ１の場合（図１１Ａ）と同様に、データＩＮＦをそれぞれ生成する。そして、送信部４０は、図１２Ｂに示したように、ケースＣ１の場合（図１１Ｂ）と同様に、フレームＦ１〜Ｆ４を送信する。
【００８９】
この例では、通信装置２０と通信装置３０とが図２のように接続されている。よって、通信装置３０の受光部５１では、図１２Ｃに示したように、物理レーンＰＲ１がフレームＦ４を受信し、物理レーンＰＲ２がフレームＦ３を受信し、物理レーンＰＲ３がフレームＦ２を受信し、物理レーンＰＲ４がフレームＦ１を受信する。
【００９０】
フレームデコーダ部５２は、図１２Ｄに示したように、フレームＦから、同期情報ＳＹＮＣおよび物理レーン番号ＰＮＴを取り除き、残りの部分（論理レーン番号ＬＮおよびデータＩＮＦ）をレーンデマッパ部５３に供給する。
【００９１】
レーンデマッパ部５３は、図１２Ｅに示したように、値が“１”の論理レーン番号ＬＮが付されたデータＩＮＦ１を処理部３７１に供給し、値が“２”の論理レーン番号ＬＮが付されたデータＩＮＦ２を処理部３７２に供給し、値が“３”の論理レーン番号ＬＮが付されたデータＩＮＦ３を処理部３７３に供給し、値が“４”の論理レーン番号ＬＮが付されたデータＩＮＦ４を処理部３７４に供給する。
【００９２】
以上のように、通信システム１では、通信装置２０において、４つの物理レーンＰＴ１〜ＰＴ４が、発光部４３において使用可能な物理レーンＰＴの物理レーン番号ＰＮＴに係る送信レーン情報ＴＬ１を送信するようにした。これにより、４本の光ファイバ１１１〜１１４のうちの少なくとも１本が信号を伝送できれば、通信装置３０の受信部５０は、その送信レーン情報ＴＬ１を取得することができる。すなわち、例えば、光ケーブル１０のコネクタ１３，１４における光ファイバ１１１〜１１４の端子が汚れている場合には、その光ファイバ１１１〜１１４のうちのいくつかは、信号を伝送できないおそれがある。また、例えば、変形例２として後述するように、例えば通信装置２０，３０において、実装された物理レーンＰＴ，ＰＲの数が少ない場合には、光ファイバ１１１〜１１４のうちのいくつかは、信号を伝送できないおそれがある。通信システム１では、通信装置２０の発光部４３に実装された全ての物理レーンＰＴが、同じ送信レーン情報ＴＬ１を送信するようにしたので、通信装置３０の受信部５０が、その送信レーン情報ＴＬ１を受信できないおそれを低減することができる。
【００９３】
また、通信システム１では、通信装置２０が、物理レーン対応情報ＴＢＬ１に基づいて、物理レーンＰＴ１〜ＰＴ４のうちの使用しない物理レーンＰＴをオフ状態にするとともに、通信装置３０が、物理レーンＰＲ１〜ＰＲ４のうちの使用しない物理レーンＰＲをオフ状態にした。これにより、通信システム１では、例えば、消費電力を低減することができる。また、物理レーンＰＴ１〜ＰＴ４のうちの使用しない物理レーンＰＴに係るレーザダイオードは発光することがないため、例えば、光ケーブル１０が断線していた場合でも、ユーザに光信号があたるおそれを低減することができ、安全性を高めることができる。
【００９４】
また、通信システム１では、論理レーンを割り当てるようにしたので、通信装置２０と通信装置３０とが、図１（ケースＣ１）のように接続されているか、図２（ケースＣ２）のように接続されているか、その接続状態にかかわらず、データ通信を行うことができる。
【００９５】
［効果］
以上のように本実施の形態では、４つの物理レーンＰＴ１〜ＰＴ４が、送信レーン情報を送信するようにしたので、受信部がその送信レーン情報を受信できないおそれを低減することができる。
【００９６】
本実施の形態では、使用しない物理レーンをオフ状態にするようにしたので、消費電力を低減することができるとともに、安全性を高めることができる。
【００９７】
本実施の形態では、論理レーンを割り当てるようにしたので、通信装置２０と通信装置３０との間の接続状態にかかわらず、データ通信を行うことができる。
【００９８】
［変形例１］
上記実施の形態では、発光部４３と受光部５１とを、４本の光ファイバ１１１〜１１４を用いて接続したが、これに限定されるものではない。これに代えて、例えば、２本または３本の光ファイバを用いて接続してもよいし、５本以上の光ファイバを用いて接続してもよい。この場合、発光部４３における物理レーンＰＴの数は、光ファイバの本数と同じ本数にすることができる。同様に、受光部５１における物理レーンＰＲの数は、光ファイバの本数と同じ本数にすることができる。
【００９９】
［変形例２］
上記実施の形態では、発光部４３における物理レーンＰＴ１〜ＰＴ４の数を、光ファイバ１１１〜１１４の数と同じにし、受光部７１における物理レーンＰＲ１〜ＰＲ４の数を、光ファイバ１２１〜１２４の数と同じにしたが、これに限定されるものではない。以下に、本変形例について詳細に説明する。
【０１００】
図１３は、本変形例に係る通信システム１Ｂの一構成例を表すものである。通信システム１Ｂは、通信装置２０Ｂを備えている。通信装置２０Ｂは、送信部４０Ｂと、発光部４３Ｂと、受光部７１Ｂと、受信部７０Ｂと、レーン制御部２５Ｂとを有している。
【０１０１】
図１４は、送信部４０Ｂおよび発光部４３Ｂの一構成例を表すものである。発光部４３Ｂは、物理レーンＰＴ１，ＰＴ２に対応する２つのＬＤ部４３１，４３２を有している。送信部４０Ｂは、レーンマッピング部４２Ｂを有している。
【０１０２】
図１５は、受光部７１Ｂおよび受信部７０Ｂの一構成例を表すものである。受光部７１Ｂは、物理レーンＰＲ１，ＰＲ２に対応する２つのＰＤ部５１１，５１２を有している。受信部７０Ｂは、フレームデコーダ部５２Ｂと、レーンデマッパ部５３Ｂとを有している。
【０１０３】
レーン制御部２５Ｂは、物理レーン対応情報ＴＢＬ１に基づいて、信号ＣＴＬ２１を用いて、送信部４０Ｂおよび発光部４３Ｂにおける送信動作を制御するものである。また、レーン制御部２５Ｂは、データ通信を始める前の準備動作において、送信レーン情報ＴＬ１を生成し、この送信レーン情報ＴＬ１を、信号ＣＴＬ２１を用いて送信部４０Ｂに供給する機能をも有している。
【０１０４】
また、レーン制御部２５Ｂは、物理レーン対応情報ＴＢＬ２に基づいて、信号ＣＴＬ２２を用いて、受光部７１Ｂにおける受信動作を制御する機能をも有している。
【０１０５】
（通信装置２０Ｂから通信装置３０へのデータ通信）
通信装置２０Ｂにおいて、送信部４０Ｂは、データ通信に先立ち、送信レーン情報ＴＬ１をデータＩＮＦに含むフレームＦpreを生成し、通信装置３０の受信部５０に対して送信する。
【０１０６】
図１６は、送信レーン情報ＴＬ１の一構成例を表すものである。この例では、発光部４３Ｂには、図１４に示したように、２つの物理レーンＰＴ１，ＰＴ２が実装されている。よって、レーン制御部２５Ｂは、これらの２つの物理レーンＰＴ１，ＰＴ２の物理レーン番号ＰＮＴを含む送信レーン情報ＴＬ１を生成する。そして、送信部４０Ｂのフレーム生成部４１は、この送信レーン情報ＴＬ１をデータＩＮＦに含むフレームＦpreを生成する。
【０１０７】
通信装置３０では、受信部５０が、このフレームＦpreを受信する。そして、レーン構成取得部３８が、フレームＦpreに含まれる送信レーン情報ＴＬ１と、そのフレームＦpreのヘッダＨに含まれる物理レーン番号ＰＮＴと、そのフレームＦpreを受信した物理レーンＰＲの物理レーン番号ＰＮＲとに基づいて、物理レーン対応情報ＴＢＬ１を生成する。
【０１０８】
図１７は、通信装置２０Ｂと通信装置３０とが図１３のように接続された場合における、物理レーン対応情報ＴＢＬ１の一例を表すものである。この例では、通信装置３０の受光部５１における物理レーンＰＲ１（物理レーン番号ＰＮＲ＝１）は、値が“１”である物理レーン番号ＰＮＴを含むフレームＦpre1を受信し、物理レーンＰＲ２（物理レーン番号ＰＮＲ＝２）は、値が“２”である物理レーン番号ＰＮＴを含むフレームＦpre2を受信する。よって、図１７に示したように、物理レーン番号ＰＮＴの値“１”は物理レーン番号ＰＮＲの値“１”と対応し、物理レーン番号ＰＮＴの値“２”は物理レーン番号ＰＮＲの値“２”と対応する。
【０１０９】
レーン制御部３５は、この物理レーン対応情報ＴＢＬ１を、光ファイバ１２１〜１２４を介して、通信装置２０Ｂのレーン制御部２５Ｂに供給する。これにより、通信装置２０Ｂ，３０は、物理レーン対応情報ＴＢＬ１を取得する。
【０１１０】
通信装置２０Ｂのレーン制御部２５Ｂは、この物理レーン対応情報ＴＢＬ１に基づいて、発光部４３Ｂにおける物理レーンＰＴ１，ＰＴ２の全てをオン状態に設定する。通信装置３０のレーン制御部３５は、この物理レーン対応情報ＴＢＬ１に基づいて、受光部５１における物理レーンＰＲ１〜ＰＲ４のうちの２つの物理レーンＰＲ１，ＰＲ２をオン状態にし、残りの２つの物理レーンＰＲ３，ＰＲ４をオフ状態にする。そして、通信装置２０Ｂは、通信装置３０に対してデータ通信を行う。
【０１１１】
（通信装置３０から通信装置２０Ｂへのデータ通信）
通信装置３０において、送信部６０は、データ通信に先立ち、送信レーン情報ＴＬ２をデータＩＮＦに含むフレームＦpreを生成し、通信装置２０Ｂの受信部７０Ｂに対して送信する。この送信レーン情報ＴＬ２は、図７に示したものと同様である。
【０１１２】
通信装置２０Ｂでは、受信部７０Ｂが、このフレームＦpreを受信する。そして、レーン構成取得部２８が、フレームＦpreに含まれる送信レーン情報ＴＬ２と、そのフレームＦpreのヘッダＨに含まれる物理レーン番号ＰＮＴと、そのフレームＦpreを受信した物理レーンＰＲの物理レーン番号ＰＮＲとに基づいて、物理レーン対応情報ＴＢＬ２を生成する。
【０１１３】
図１８は、通信装置２０Ｂと通信装置３０とが図１３のように接続された場合における、物理レーン対応情報ＴＢＬ２の一例を表すものである。この例では、通信装置２０Ｂの受光部７１Ｂにおける物理レーンＰＲ１（物理レーン番号ＰＮＲ＝１）は、値が“１”である物理レーン番号ＰＮＴを含むフレームＦpre1を受信し、物理レーンＰＲ２（物理レーン番号ＰＮＲ＝２）は、値が“２”である物理レーン番号ＰＮＴを含むフレームＦpre2を受信する。よって、図１８に示したように、物理レーン番号ＰＮＴの値“１”は物理レーン番号ＰＮＲの値“１”と対応し、物理レーン番号ＰＮＴの値“２”は物理レーン番号ＰＮＲの値“２”と対応する。なお、物理レーン番号ＰＮＴの値“３”に対応する物理レーン番号ＰＮＲはなく、同様に、物理レーン番号ＰＮＴの値“４”に対応する物理レーン番号ＰＮＲはない。
【０１１４】
レーン制御部２５Ｂは、この物理レーン対応情報ＴＢＬ２を、光ファイバ１１１〜１１４を介して、通信装置３０のレーン制御部３５に供給する。これにより、通信装置２０Ｂ，３０は、物理レーン対応情報ＴＢＬ２を取得する。
【０１１５】
通信装置３０のレーン制御部３５は、この物理レーン対応情報ＴＢＬ２に基づいて、発光部６３における物理レーンＰＴ１〜ＰＴ４のうちの２つの物理レーンＰＴ１，ＰＴ２をオン状態にし、残りの２つの物理レーンＰＴ３，ＰＴ４をオフ状態にする。また、通信装置２０Ｂのレーン制御部２５Ｂは、この物理レーン対応情報ＴＢＬ２に基づいて、受光部７１Ｂにおける物理レーンＰＲ１，ＰＲ２の全てをオン状態に設定する。そして、通信装置３０は、通信装置２０Ｂに対してデータ通信を行う。
【０１１６】
このように、本技術では、実装されている物理レーンが光ファイバの本数よりも少ない場合でも、実装されている物理レーンを用いて、通信を行うことができる。
【０１１７】
［変形例３］
上記実施の形態では、通信装置２０と通信装置３０との間で双方向にデータ通信を行うようにしたが、これに限定されるものではない。例えば、図１９に示す通信システム１Ｃのように、一方向にデータ通信を行うようにしてもよい。通信システム１Ｃは、光ケーブル１０Ｃと、通信装置２０Ｃと、通信装置３０Ｃとを備えている。
【０１１８】
光ケーブル１０Ｃは、４本の光ファイバ１１１〜１１４と、コネクタ１３Ｃ，１４Ｃとを有している。光ファイバ１１１〜１１４は、通信装置２０から通信装置３０に光信号を伝えるものである。コネクタ１３Ｃは、光ケーブル１０Ｃの一端に設けられたものであり、通信装置２０Ｃのコネクタ２１Ｃと結合するように構成されている。コネクタ１４Ｃは、光ケーブル１０Ｃの他端に設けられたものであり、通信装置３０Ｃのコネクタ３１Ｃと結合するように構成されている。
【０１１９】
通信装置２０Ｃは、コネクタ２１Ｃと、処理部２２１〜２２４と、送信部４０と、発光部４３と、接続検出部２４と、受信部２９Ｃと、レーン制御部２５Ｃとを有している。コネクタ２１Ｃは、光ケーブル１０Ｃのコネクタ１３Ｃと結合するように構成されたものである。受信部２９Ｃは、通信装置３０Ｃの送信部３９Ｃ（後述）から供給された、物理レーン対応情報ＴＢＬ１を受信するものである。受信部２９Ｃおよび送信部３９Ｃは、電気信号により通信を行ってもよいし、光信号により通信を行ってもよい。レーン制御部２５Ｃは、上記実施の形態に係るレーン制御部２５と同様に、信号ＣＴＬ２１を用いて、送信部４０および発光部４３における送信動作を制御するものである。
【０１２０】
通信装置３０Ｃは、コネクタ３１Ｃと、受光部５１と、受信部５０と、処理部３７１〜３７４と、レーン構成取得部３８と、レーン制御部３５Ｃと、送信部３９Ｃとを有している。コネクタ３１Ｃは、光ケーブル１０Ｃのコネクタ１４Ｃと結合するように構成されたものである。レーン制御部３５Ｃは、上記実施の形態に係るレーン制御部３５と同様に、物理レーン対応情報ＴＢＬ１に基づいて、信号ＣＴＬ３２を用いて、受光部５１における受信動作を制御するものである。送信部３９Ｃは、物理レーン対応情報ＴＢＬ１を、通信装置２０Ｃの受信部２９Ｃに対して送信するものである。
【０１２１】
［その他の変形例］
また、これらの変形例のうちの２以上を組み合わせてもよい。
【０１２２】
以上、実施の形態および変形例を挙げて本技術を説明したが、本技術はこれらの実施の形態等には限定されず、種々の変形が可能である。
【０１２３】
例えば、上記の各実施の形態では、光信号を用いてデータ通信を行ったが、これに限定されるものではなく、これに代えて、電気信号を用いてデータ通信を行ってもよい。
【０１２４】
なお、本明細書に記載された効果はあくまで例示であって限定されるものでは無く、また他の効果があってもよい。
【０１２５】
なお、本技術は以下のような構成とすることができる。
【０１２６】
（１）所定数の送信レーンのそれぞれに対して、前記所定数の送信レーンにそれぞれ対応づけられた所定数の送信レーン識別子を含む第１のレーン情報を供給する送信部を備えた
通信装置。
【０１２７】
（２）前記送信部は、前記第１のレーン情報と、前記所定数の送信レーンのうちの第１の送信レーンに対応する送信レーン識別子とを含む第１のフレームを生成し、その第１のフレームを前記第１の送信レーンに対して供給する
前記（１）に記載の通信装置。
【０１２８】
（３）前記所定数の送信レーンのうちの、通信相手が受信可能な信号を送信する１または複数の送信レーンに対応する１または複数の送信レーン識別子を含む第２のレーン情報を受信する受信部と、
前記第２のレーン情報に基づいて、各送信レーンをオン状態またはオフ状態に設定するための制御信号を生成する送信制御部と
をさらに備えた
前記（２）に記載の通信装置。
【０１２９】
（４）前記第２のレーン情報は、前記所定数の送信レーン識別子と、前記通信相手における所定数の受信レーンにそれぞれ対応づけられた所定数の受信レーン識別子との対応関係を示す情報である
前記（３）に記載の通信装置。
【０１３０】
（５）送信データをそれぞれ生成し、データ識別子がそれぞれ対応づけられた複数の処理部をさらに備え、
前記送信部は、前記複数の処理部のうちの一の処理部が生成した送信データと、前記一の処理部に対応するデータ識別子とを含む第２のフレームを生成し、その第２のフレームを、オン状態に設定された１または複数の送信レーンのうちの第２の送信レーンに供給する
前記（３）または（４）に記載の通信装置。
【０１３１】
（６）前記所定数の送信レーンと、
前記所定数の送信レーンに対応する所定数の通信レーンを含む複数の通信レーンを介して、通信相手と接続可能に構成されたコネクタと
をさらに備えた
前記（１）から（５）のいずれかに記載の通信装置。
【０１３２】
（７）所定数の受信レーンのうちの第１の受信レーンから、通信相手における所定数の送信レーンにそれぞれ対応づけられた所定数の送信レーン識別子を含む第１のレーン情報を受け取る受信部を備えた
通信装置。
【０１３３】
（８）前記受信部は、前記第１の受信レーンから、前記第１のレーン情報と、前記所定数の送信レーンのうちの前記第１のレーン情報を送信した送信レーンに対応する一の送信レーン識別子とを含む第１のフレームを受け取る
前記（７）に記載の通信装置。
【０１３４】
（９）前記第１のフレームに含まれる、前記第１のレーン情報および前記一の送信レーン識別子に基づいて、前記所定数の送信レーン識別子と、前記所定数の受信レーンにそれぞれ対応づけられた所定数の受信レーン識別子との対応関係を示す第２のレーン情報を生成する受信制御部をさらに備えた
前記（８）に記載の通信装置。
【０１３５】
（１０）前記受信制御部は、さらに、前記第２のレーン情報に基づいて、各受信レーンをオン状態またはオフ状態に設定するための制御信号を生成する
前記（９）に記載の通信装置。
【０１３６】
（１１）前記第２のレーン情報を前記通信相手に送信する送信部をさらに備えた
前記（９）または（１０）に記載の通信装置。
【０１３７】
（１２）データ識別子がそれぞれ対応づけられた複数の処理部をさらに備え、
前記受信部は、オン状態に設定された１または複数の受信レーンのうちの第２の受信レーンから、送信データと、複数の前記データ識別子のうちの一のデータ識別子とを含む第２のフレームを受け取り、前記送信データを、前記複数の処理部のうちの前記一のデータ識別子に対応する処理部に供給する
前記（１０）または（１１）に記載の通信装置。
【０１３８】
（１３）前記所定数の受信レーンと、
前記所定数の受信レーンに対応する所定数の通信レーンを含む複数の通信レーンを介して、前記通信相手と接続可能に構成されたコネクタと
をさらに備えた
前記（７）から（１２）のいずれかに記載の通信装置。
【０１３９】
（１４）第１の通信装置と、
第２の通信装置と
を備え、
前記第１の通信装置は、複数の通信レーンのうちの第１の所定数の通信レーンに対応する所定数の送信レーンのそれぞれに対して、前記所定数の送信レーンにそれぞれ対応づけられた所定数の送信レーン識別子を含む第１のレーン情報を供給する送信部を有し、
前記第２の通信装置は、前記複数の通信レーンのうちの第２の所定数の通信レーンに対応する所定数の受信レーンのうちの第１の受信レーンから、前記第１のレーン情報を受け取る受信部を有する
通信システム。
【０１４０】
（１５）複数の通信レーンのうちの第１の所定数の通信レーンに対応する所定数の送信レーンのそれぞれに対して、前記所定数の送信レーンにそれぞれ対応づけられた所定数の送信レーン識別子を含む第１のレーン情報を供給し、
前記複数の通信レーンのうちの第２の所定数の通信レーンに対応する所定数の受信レーンのうちの第１の受信レーンから、前記第１のレーン情報を受け取る
通信方法。
【０１４１】
（１６）前記所定数の送信レーンのうちの第１の送信レーンに対して、前記第１のレーン情報と、前記第１の送信レーンに対応する一の送信レーン識別子とを含む第１のフレームを供給し、
前記第１の受信レーンから前記第１のフレームを受け取る
前記（１５）に記載の通信方法。
【０１４２】
（１７）前記第１の受信レーンから受け取った前記第１のフレームに含まれる、前記第１のレーン情報および前記一の送信レーン識別子に基づいて、前記所定数の送信レーン識別子と、前記所定数の受信レーンにそれぞれ対応づけられた所定数の受信レーン識別子との対応関係を示す第２のレーン情報を生成し、
前記第２のレーン情報に基づいて、各送信レーンをオン状態またはオフ状態に設定するとともに、各受信レーンをオン状態またはオフ状態に設定する
前記（１６）に記載の通信方法。
【０１４３】
（１８）オン状態に設定された１または複数の送信レーンのうちの第２の送信レーンに対して、送信データおよびデータ識別子を含む第２のフレームを供給し、
オン状態に設定された１または複数の受信レーンのうちの第２の受信レーンから、前記第２のフレームを受け取り、
前記第２の受信レーンが受信した前記第２のフレームに含まれる前記送信データを、前記第２のフレームに含まれる前記データ識別子に対応する処理部に供給する
前記（１７）に記載の通信方法。
【符号の説明】
【０１４４】
１，１Ｂ，１Ｃ…通信システム、１０…光ケーブル、１３，１４…コネクタ、２０，２０Ｂ，２０Ｃ，３０，３０Ｃ…通信装置、２１，３１…コネクタ、２４，３４…接続検出部、２５，２５Ｂ，２５Ｃ，３５，３５Ｃ…レーン制御部、２８，３８…レーン構成取得部、２９Ｃ…受信部、３９Ｃ…送信部、４０，４０Ｂ，６０…送信部、４１…フレーム生成部、４２，４２Ｂ…レーンマッピング部、５０，７０，７０Ｂ…受信部、５２，５２Ｂ…フレームデコーダ部、５３，５３Ｂ…レーンデマッパ部５３、１１１〜１１４，１２１〜１２４…光ファイバ、２２１〜２２４，３２１〜３２４…処理部、２７１〜２７４，３７１〜３７４…処理部、４３１〜４３４…発光部、５１１〜５１４…受光部、ＣＴＬ２１〜ＣＴＬ２３，ＣＴＬ３１〜ＣＴＬ３３…信号、Ｆ，Ｆ１〜Ｆ４，Ｆpre，Ｆpre1〜Ｆpre4，Ｆpre11〜Ｆpre14…フレーム、Ｈ…ヘッダ、ＩＮＦ，ＩＮＦ１〜ＩＮＦ４…データ、ＬＮ…論理レーン番号、ＰＮＲ，ＰＮＴ…物理レーン番号、ＰＲ１〜ＰＲ４，ＰＴ１〜ＰＴ４…物理レーン、ＴＢＬ１，ＴＢＬ２…物理レーン対応情報、ＴＬ１，ＴＬ２…送信レーン情報。
【図１】
0006323375.tif 000002
【図２】
0006323375.tif 000003
【図３】
0006323375.tif 000004
【図４】
0006323375.tif 000005
【図５】
0006323375.tif 000006
【図６】
0006323375.tif 000007
【図７】
0006323375.tif 000008
【図８】
0006323375.tif 000009
【図９Ａ】
0006323375.tif 000010
【図９Ｂ】
0006323375.tif 000011
【図１０】
0006323375.tif 000012
【図１１Ａ】
0006323375.tif 000013
【図１１Ｂ】
0006323375.tif 000014
【図１１Ｃ】
0006323375.tif 000015
【図１１Ｄ】
0006323375.tif 000016
【図１１Ｅ】
0006323375.tif 000017
【図１２Ａ】
0006323375.tif 000018
【図１２Ｂ】
0006323375.tif 000019
【図１２Ｃ】
0006323375.tif 000020
【図１２Ｄ】
0006323375.tif 000021
【図１２Ｅ】
0006323375.tif 000022
【図１３】
0006323375.tif 000023
【図１４】
0006323375.tif 000024
【図１５】
0006323375.tif 000025
【図１６】
0006323375.tif 000026
【図１７】
0006323375.tif 000027
【図１８】
0006323375.tif 000028
【図１９】
0006323375.tif 000029